(57)【要約】      （修正有）【課題】プロフェッショナルディスク（ＰＤ）用のケースにＰＤ以外の光ディスクを保管可能とするアダプタ及び保管用ケースセットを提供する。【解決手段】外縁１の形状が、プロフェッショナルディスクのカートリッジの外縁の形状と略同一であり、外縁１よりも内側の略中央に、前記プロフェッショナルディスク以外の光ディスクの中央孔を嵌合させる、嵌合構造２を有する、アダプタ１０とする。【選択図】図１
0003210347.tif 000002
【実用新案登録請求の範囲】
【請求項１】
外縁の形状が、プロフェッショナルディスクのカートリッジの外縁の形状と略同一であり、
前記外縁よりも内側の略中央に、前記プロフェッショナルディスク以外の光ディスクの中央孔を嵌合させる、嵌合構造を有する、
アダプタ。
【請求項２】
前記外縁の少なくとも一部に切欠きを有する、
請求項１に記載のアダプタ。
【請求項３】
前記光ディスクの中央孔を前記嵌合構造に嵌合させた場合に前記光ディスクの記録面が接地しないように、前記外縁よりも内側且つ前記嵌合構造よりも外側に凹部構造を有する、
請求項１又は２に記載のアダプタ。
【請求項４】
外縁部分の厚みよりも内側部分の厚みのほうが薄い、
請求項１〜３のいずれか１項に記載のアダプタ。
【請求項５】
プロフェッショナルディスクを収容可能なケースと、
請求項１〜４のいずれか１項に記載のアダプタと、
を備える、保管用ケースセット。
【請求項６】
前記ケースが黒色である、
請求項５に記載の保管用ケースセット。
【考案の詳細な説明】
【技術分野】
【０００１】
本願は、プロフェッショナルディスク（ＰＤ）用の保管ケースに、ＰＤ以外の光ディスクを保管する場合に使用されるアダプタを開示する。
【背景技術】
【０００２】
ＸＤＣＡＭ（登録商標）用の記録媒体としてプロフェッショナルディスク（ＰＤ）が流通している。ＰＤは、丸みを帯びた専用のカートリッジに光ディスクが収容されてなる。ＰＤを保管する際、需要者は、ＰＤ専用のケースを使用するのが通常であり、ＰＤとともにＰＤ専用のケースも流通している。
【０００３】
一方で、ＰＤよりも廉価なＰＤ以外の光ディスク（ＢＤやＤＶＤ）も流通しており、データを保存する際、需要者は、目的に応じて、ＰＤとＰＤ以外の光ディスクとを使い分けている。ここで、ＰＤ以外の光ディスクを保管する際、需要者は、それ専用のケースを使用するのが通常である（例えば、特許文献１〜３等）。
【先行技術文献】
【特許文献】
【０００４】
【特許文献１】特開平９−１４２５５８号公報
【特許文献２】特開２００６−３４１９０１号公報
【特許文献３】特開平１１−２４５９８４号公報
【考案の概要】
【考案が解決しようとする課題】
【０００５】
ここで、ＰＤ専用のケースと、ＰＤ以外の光ディスク用のケースとでは、その外形が異なっている。そのため、これらケースをまとめて収納棚等に収納した場合、異形のケースが凸凹に並べられることとなり、美観を損なう。
【０００６】
また、ＰＤとＰＤ以外の光ディスクとを保管する際、ＰＤ専用のケースとＰＤ以外の光ディスク用のケースとが別々に必要となり、利便性に欠く。
【課題を解決するための手段】
【０００７】
本考案者らは、ＰＤ専用ケースにＰＤ以外の光ディスクを収容できれば、上記の課題を解決できると考えた。しかしながら、現在流通しているＰＤ専用のケースと、ＰＤ以外の光ディスク用のケースとでは、内形が異なることから、ＰＤ専用のケースにＰＤ以外の光ディスクを収容することは困難である。このような事情に鑑み、本考案者らは、ＰＤ用のケースにＰＤ以外の光ディスクを保管可能とするアダプタを作製し、上記課題を解決した。
【０００８】
すなわち、本願は、上記課題を解決するための手段の一つとして、
外縁の形状が、プロフェッショナルディスクのカートリッジの外縁の形状と略同一であり、前記外縁よりも内側の略中央に、前記プロフェッショナルディスク以外の光ディスクの中央孔を嵌合させる、嵌合構造を有する、アダプタ
を開示する。
【０００９】
「外縁」とは、平面視においてアダプタの輪郭をなす部分である。
「プロフェッショナルディスク」とは、上述したように、ＸＤＣＡＭ（登録商標）用の記録媒体として本願出願時に流通している記録媒体である。
「プロフェッショナルディスク」は、本願出願時においてプライベート規格化されている。すなわち、「プロフェッショナルディスクのカートリッジの外縁の形状」も、本願出願時において規格化されており、所定の形状に定まる。
「プロフェッショナルディスクのカートリッジの外縁の形状と略同一」とは、プロフェッショナルディスクのカートリッジの外縁の形状に対して、±０．２０ｍｍ程度の誤差を許容する趣旨である。ただし、後述するように、本開示のアダプタは、上記の課題を解決できる範囲で新たな効果を発揮させるべく、外縁の一部が切り欠かれていてもよい。すなわち、アダプタの外縁の全周に亘って、プロフェッショナルディスクのカートリッジの外縁の形状と略同一の形状である必要はない。
「外縁よりも内側の略中央に・・・嵌合構造を有する」とは、言い換えれば、ＰＤ以外の光ディスクをアダプタに嵌合させた場合において、光ディスクの外縁がアダプタの外縁からはみ出ないように、嵌合構造がアダプタの平面中央近傍に設けられていることを意味する。このことから、嵌合構造は、上記した光ディスクのはみ出しが生じない範囲で、アダプタの平面中央から若干外縁寄りに配置されていてもよい。
【００１０】
本開示のアダプタは、前記外縁の少なくとも一部に切欠きを有することが好ましい。アダプタから光ディスクの取り外しが容易となるためである。
【００１１】
本開示のアダプタは、前記光ディスクの中央孔を前記嵌合構造に嵌合させた場合に前記光ディスクの記録面が接地しないように、前記外縁よりも内側且つ前記嵌合構造よりも外側に凹部構造を有することが好ましい。
【００１２】
本開示のアダプタは、外縁部分の厚みよりも内側部分の厚みのほうが薄いことが好ましい。材料費が節約されるとともにアダプタが軽量化されるためである。
【００１３】
本願は、上記課題を解決するための手段の一つとして、
プロフェッショナルディスクを収容可能なケースと、上記本開示のアダプタと、を備える、保管用ケースセットを開示する。
【００１４】
本開示の保管用ケースセットにおいて、耐紫外線の観点から、前記ケースが黒色であることが好ましい。
【考案の効果】
【００１５】
本開示のアダプタはＰＤのカートリッジと同等の外形を有することから、ＰＤ用のケース内に取り付けることができ、ＰＤ用のケース内でＰＤ以外の光ディスクの位置を固定させることができる。すなわち、既に流通しているＰＤ用のケースを、ＰＤ以外の光ディスクを保管するケースとして兼用することができる。また、ＰＤ用のケースにＰＤ以外の光ディスクを固定した状態でぴったり収納することができ、ケース内でアダプタ及び収納する光ディスクが動いたりすることなく、長期間安定に保管することが可能となる。
【図面の簡単な説明】
【００１６】
【図１】アダプタ１０の斜視図である。
【図２】アダプタ１０の外縁の形状等を説明するための平面図である。
【図３】アダプタ１０の嵌合構造や凹部構造を説明するための断面図である。（Ａ）が図２のＡ−Ａ断面図、（Ｂ）が図２のＢ−Ｂ断面図である。
【図４】アダプタ１０の側面図である。（Ａ）図２の紙面右側から見た側面図、（Ｂ）が図２の紙面下側から見た側面図（正面図）である。
【考案を実施するための形態】
【００１７】
１．アダプタ
図１、２に示すように、アダプタ１０は、外縁１の形状が、プロフェッショナルディスク（ＰＤ）のカートリッジの外縁の形状と略同一であり、外縁１よりも内側の略中央に、プロフェッショナルディスク以外の光ディスクの中央孔を嵌合させる、嵌合構造２を有する。
【００１８】
１．１．外縁の形状
アダプタ１０の外縁１の形状は、ＰＤのカートリッジの外縁の形状と略同一である。すなわち、ＰＤのカートリッジの外縁と同様に、外縁１は、互いに対向する直線状の二つの辺１ａ、１ｂ（図２の紙面左右側の辺）と、丸みを帯びた一つの辺１ｃ（図２の紙面上側の辺）と、当該丸みを帯びた一つの辺に対向する辺１ｄ（図２の紙面下側の辺）とを含んでいる。
【００１９】
各辺１ａ〜１ｄの形状は、ＰＤのカートリッジの外縁の形状に準ずる。ＰＤのカートリッジはプライベート規格化されており、本願においてその形状を詳細に記載せずとも当業者には容易に理解できるが、以下、主要な部分の寸法について念のため記載する。図２において、辺１ａ及び１ｂとの間の長さＬ１は、例えば１２８．５ｍｍ以上１２８．９ｍｍ以下とすることができる。また、辺１ｃの頂点と辺１ｄの底辺（図２の紙面最下側の直線）との間の長さＬ２は、例えば１３０．７ｍｍ以上１３１．０ｍｍ以下とすることができる。また、辺１ａ及び１ｂの長さ（面取り部を除いた直線部分の長さ）Ｌ３は、例えば９３．０ｍｍ以上９７．０ｍｍ以下とすることができる。また、辺１ｄのうち底辺の長さＬ４は、例えば７９．０ｍｍ以上８１．０ｍｍ以下とすることができる。また、辺１ａと１ｃとの接続部である角部の半径Ｒ１は、例えば１４．５ｍｍ以上１５．５ｍｍ以下とすることができる。さらに、辺１ａと辺１ｄとの接続部である角部の半径Ｒ２は、例えば４．５ｍｍ以上５．５ｍｍ以下とすることができる。
【００２０】
１．２．嵌合構造
アダプタ１０は、外縁１よりも内側の略中央に、ＰＤ以外の光ディスクの中央孔を嵌合させる、嵌合構造２を有する。すなわち、ＰＤ以外の光ディスクをアダプタ１０に嵌合させた場合において、光ディスクの外縁がアダプタ１０の外縁１からはみ出ないように、嵌合構造２がアダプタ１０の平面中央近傍に設けられている。アダプタ１０において、嵌合構造２に嵌め合わせ可能なＰＤ以外の光ディスクとしては、ＢＤやＤＶＤを例示できる。これら光ディスクの中央孔の形状に合わせて嵌合構造２を決定すればよい。例えば、図１、２に示すように、嵌合構造２は、弾性及び剛性を有する複数の爪を備え、当該爪に光ディスクの中央孔の縁を引っ掛けるようにして嵌合させるものとすることができる。このような嵌合構造そのものは、当業者にとって自明であることから、ここでは詳細な説明を省略する。
【００２１】
１．３．その他の形状及び構造
アダプタ１０は、上記した外縁１の形状と嵌合構造２とを備えていれば、それ以外の形状及び構造については特に限定されるものではない。以下、一例を示す。
【００２２】
アダプタ１０は、上記の課題を解決できる範囲で新たな効果を発揮させるべく、外縁１の一部が切り欠かれていてもよい。すなわち、アダプタ１０の外縁１の全周に亘って、ＰＤのカートリッジの外縁の形状と略同一の形状である必要はない。外縁１のうち切り欠きを設ける位置は特に限定されるものではない。例えば、図１に示すように、辺１ｄの一部に切り欠き３を有していてもよい。このような切り欠き３を有することで、アダプタ１０から光ディスクの取り外しが容易となる。切り欠き３の大きさについては、特に限定されるものではない。
【００２３】
アダプタ１０は、ＰＤ以外の光ディスクの中央孔を嵌合構造２に嵌合させた場合に光ディスクの記録面が接地しないように、外縁１よりも内側且つ嵌合構造２よりも外側に凹部構造４を有することが好ましい。このような凹部構造そのものは、当業者にとって自明であることから、ここでは詳細な説明を省略する。
【００２４】
アダプタ１０の厚みは、ＰＤ用のケース内に収容及び取り付け可能な厚みであればよい。例えば、図３、４に示すように、アダプタ１０の外縁部分の厚みＴ１を７．７ｍｍ以上
７．９ｍｍ以下とすることができる。これにより、アダプタ１０をＰＤ用ケース内に一層ぴったりと取り付けることができ、また、必要に応じてアダプタ１０をＰＤ用ケースから容易に取り外すことができる。一方、アダプタ１０は、上記した外縁部分の厚みよりも内側部分の厚みのほうが薄いことが好ましい。材料費が節約されるとともにアダプタが軽量化されるためである。
【００２５】
アダプタ１０を構成する材料については、ある程度の強度等を有するものであれば、特に限定されるものではない。例えば、プラスチック等によって構成することができる。
【００２６】
以上の通り、アダプタ１０は、ＰＤのカートリッジと同等の外形を有することから、ＰＤ用のケース内に取り付けることができ、ＰＤ用のケース内でＰＤ以外の光ディスクの位置を固定させることができる。すなわち、既に流通しているＰＤ用のケースを、ＰＤ以外の光ディスクを保管するケースとして兼用することができる。
【００２７】
２．保管用ケースセット
上記したアダプタ１０とＰＤ用のケースとを組み合わせて、ＰＤ以外の光ディスクを保管するためのケースセットを構成することができる。すなわち、ＰＤを収容可能なケースと、上記したアダプタ１０とを備える、保管用ケースセットである。
【００２８】
ここで、耐紫外線の観点から、ケースは黒色であることが好ましい。ケースを構成する材料に顔料等を混合することで、ケースを黒色に着色することができる。また、帯電防止等を考慮して、ケースは帯電防止グレードのポリプロピレン等によって構成されることが好ましい。ＰＤを収容可能なケースそのものはＰＤとともに市販されており、その形状や構造については自明であるため、ここでは詳細な説明を省略する。
【産業上の利用可能性】
【００２９】
本開示のアダプタはＰＤ以外の光ディスクをＰＤ用のケース内に保管する際に用いることができる。
【符号の説明】
【００３０】
１  外縁
２  嵌合構造
３  切欠き
４  凹部構造
【図１】
0003210347.tif 000003
【図２】
0003210347.tif 000004
【図３】
0003210347.tif 000005
【図４】
0003210347.tif 000006